(57)【要約】【課題】カバーを閉じた状態で開口部とカバーとの間に空間部が形成される記録装置では、空間部を浮遊するインクミストが空間部の外部に流出するという課題がある。【解決手段】用紙Ｐに記録する記録部と、筐体２の内部に設けられ、用紙Ｐが搬送される搬送経路１０と、筐体２に設けられ、搬送経路１０が露出する搬送経路開口部としての開口部２４と、開口部２４を覆うカバー３０と、を備え、筐体２は、開口部２４に対して側面を成す筐体面２ｄ側が開口部２４より突出した突出部３３を有し、カバー３０が開口部２４を覆う状態において、カバー３０と開口部２４との間には空間部が形成され、空間部の筐体面２ｄ側は突出部３３によって覆われ、空間部の筐体面２ｄと反対側を覆う壁部３０２を備えた記録装置を提供する。【選択図】図１
2013159057.tif 000002
【特許請求の範囲】
【請求項１】
記録媒体に記録する記録部と、
筐体の内部に設けられ、前記記録媒体が搬送される搬送経路と、
前記筐体に設けられ、前記搬送経路が露出する搬送経路開口部と、
前記搬送経路開口部を覆うカバーと、を備え、
前記筐体は、前記搬送経路開口部に対して側面を成す筐体面側が前記搬送経路開口部より突出した突出部を有し、
前記カバーが前記搬送経路開口部を覆う状態において、前記カバーと前記搬送経路開口部との間には空間部が形成され、前記空間部の前記筐体面側は前記突出部によって覆われ、前記空間部の前記筐体面と反対側を覆う壁部を備えたことを特徴とする記録装置。
【請求項２】
請求項１に記載の記録装置であって、
前記記録部は、前記記録媒体に向かってインクを噴射する液体噴射ヘッドを有し、
前記筐体に設けられ、前記搬送経路開口部と隣接する隣接開口部と、
前記筐体の外部に配置されたインクタンクと、
前記隣接開口部を通り、前記液体噴射ヘッドと前記インクタンクとを連通するインク供給チューブと、を備えたことを特徴とする記録装置。
【請求項３】
請求項２に記載の記録装置であって、
前記インク供給チューブは、前記液体噴射ヘッドと連通された第１のインク供給チューブと、前記インクタンクと連通された第２のインク供給チューブとを備え、
前記第１のインク供給チューブと前記第２のインク供給チューブとの間に介在する中継部を備えたことを特徴とする記録装置。
【請求項４】
請求項２に記載の記録装置であって、
前記壁部は、前記カバーに設けられたことを特徴とする記録装置。
【請求項５】
請求項２に記載の記録装置であって、
前記壁部は、前記搬送経路開口部における前記突出部と反対側の縁に設けられたことを特徴とする記録装置。
【請求項６】
請求項２に記載の記録装置であって、
前記隣接開口部を覆う隣接開口部カバーを備えたことを特徴とする記録装置。
【請求項７】
請求項２に記載の記録装置であって、
前記インク供給チューブを係合する係合部を、前記筐体における前記搬送経路開口部を除く位置に備えたことを特徴とする記録装置。
【請求項８】
請求項３に記載の記録装置であって、
前記隣接開口部と連通し、前記中継部を収容する収容部が備えられたことを特徴とする記録装置。
【請求項９】
請求項８に記載の記録装置であって、
前記中継部は、前記収容部に装着されたアダプターであることを特徴とする記録装置。
【請求項１０】
請求項８に記載の記録装置であって、
前記中継部は、前記収容部に備えられた継手であることを特徴とする記録装置。
【請求項１１】
請求項９に記載の記録装置であって、
前記アダプターは、液体を貯留する貯留部を備えた液体容器であることを特徴とする記録装置。
【請求項１２】
請求項１から請求項１１のいずれか一項に記載の記録装置であって、
前記筐体における前記搬送経路開口部の鉛直方向下側に、前記記録媒体を排出する排出用開口部が備えられたことを特徴とする記録装置。
【請求項１３】
請求項１２に記載の記録装置であって、
前記筐体における前記排出用開口部の鉛直方向下側に、前記記録媒体を載置するカセット挿入口部が備えられたことを特徴とする記録装置。
【請求項１４】
記録媒体に記録する記録部と、筐体の内部に設けられ、前記記録媒体が搬送される搬送経路と、前記筐体に設けられ、前記搬送経路が露出する搬送経路開口部と、を備え、前記筐体は、前記搬送経路開口部に対して側面を成す筐体面側が前記搬送経路開口部より突出した突出部を有する記録装置のカバーであって、
前記搬送経路開口部を覆う状態において、前記搬送経路開口部との間には空間部が形成され、前記空間部の前記筐体面側は前記突出部によって覆われ、前記空間部の前記筐体面と反対側は、壁部によって覆われることを特徴とするカバー。
【発明の詳細な説明】
【技術分野】
【０００１】
本発明は、記録装置、カバーに関する。
【背景技術】
【０００２】
記録装置としてのインクジェットプリンターは、液体噴射ヘッドからインクを噴射して用紙などの記録媒体に文字や画像を記録する。液体噴射ヘッドから噴射されたインクがインクミストとなって浮遊することがある。そこで、例えば特許文献１では、給送ローラーの下部を覆うカバーを備えた記録装置が開示されている。
印刷中に、所謂紙ジャムが発生し、用紙が搬送経路に残ったままとなることがある。そこで、搬送経路が露出する開口部と開口部を開閉可能なカバーを筐体に備え、搬送経路に残った用紙を、使用者がカバーを開け、開口部から手を入れて取り除くようにする記録装置が考えられる。
【先行技術文献】
【特許文献】
【０００３】
【特許文献１】特開２００７−１２６２７２号公報
【発明の概要】
【発明が解決しようとする課題】
【０００４】
しかしながら、カバーを閉じた状態で開口部とカバーとの間に空間部が形成される記録装置がある。このような記録装置では、空間部を浮遊するインクミストが空間部の外部に流出するという課題がある。
【課題を解決するための手段】
【０００５】
本発明は、上述の課題の少なくとも一部を解決するためになされたものであり、以下の形態または適用例として実現することが可能である。
【０００６】
［適用例１］記録媒体に記録する記録部と、筐体の内部に設けられ、前記記録媒体が搬送される搬送経路と、前記筐体に設けられ、前記搬送経路が露出する搬送経路開口部と、前記搬送経路開口部を覆うカバーと、を備え、前記筐体は、前記搬送経路開口部に対して側面を成す筐体面側が前記搬送経路開口部より突出した突出部を有し、前記カバーが前記搬送経路開口部を覆う状態において、前記カバーと前記搬送経路開口部との間には空間部が形成され、前記空間部の前記筐体面側は前記突出部によって覆われ、前記空間部の前記筐体面と反対側を覆う壁部を備えたことを特徴とする記録装置。
【０００７】
本適用例によれば、空間部の筐体面側は突出部によって覆われ、空間部の筐体面と反対側を覆う壁部を備える。これにより、空間部を浮遊するインクミストが空間部の外部に流出することを抑制できる。
【０００８】
［適用例２］前記記録部は、前記記録媒体に向かってインクを噴射する液体噴射ヘッドを有し、前記筐体に設けられ、前記搬送経路開口部と隣接する隣接開口部と、前記筐体の外部に配置されたインクタンクと、前記隣接開口部を通り、前記液体噴射ヘッドと前記インクタンクとを連通するインク供給チューブと、を備えたことを特徴とする上記記録装置。
【０００９】
本適用例によれば、隣接開口部を通り、液体噴射ヘッドとインクタンクとを連通するインク供給チューブが備えられる。これにより、インク供給チューブが搬送経路や搬送経路開口部に位置しないので、使用者が、搬送経路開口部から手を入れて搬送経路に残った記録媒体を取り除くとき、インク供給チューブが障害になることを防止できる。
【００１０】
［適用例３］前記インク供給チューブは、前記液体噴射ヘッドと連通された第１のインク供給チューブと、前記インクタンクと連通された第２のインク供給チューブとを備え、前記第１のインク供給チューブと前記第２のインク供給チューブとの間に介在する中継部を備えたことを特徴とする上記記録装置。
【００１１】
本適用例によれば、第１のインク供給チューブ、第２のインク供給チューブをそれぞれ異なる部材によって構成することができる。
【００１２】
［適用例４］前記壁部は、前記カバーに設けられたことを特徴とする上記記録装置。
【００１３】
本適用例によれば、インクミストが隣接開口部側に流出することを抑制できる。
【００１４】
［適用例５］前記壁部は、前記搬送経路開口部における前記突出部と反対側の縁に設けられたことを特徴とする上記記録装置。
【００１５】
本適用例によれば、インクミストが隣接開口部側に流出することを抑制できる。
【００１６】
［適用例６］前記隣接開口部を覆う隣接開口部カバーを備えたことを特徴とする上記記録装置。
【００１７】
本適用例によれば、外観上の美観が向上する。
【００１８】
［適用例７］前記インク供給チューブを係合する係合部を、前記筐体における前記搬送経路開口部を除く位置に備えたことを特徴とする上記記録装置。
【００１９】
本適用例によれば、インク供給チューブが搬送経路や搬送経路開口部に位置しないので、使用者が、搬送経路開口部から手を入れて搬送経路に残った記録媒体を取り除くときの障害になることを防止できる。
【００２０】
［適用例８］前記隣接開口部と連通し、前記中継部を収容する収容部が備えられたことを特徴とする上記記録装置。
【００２１】
本適用例によれば、第１のインク供給チューブや第２のインク供給チューブが搬送経路や搬送経路開口部に位置しないので、使用者が、搬送経路開口部から手を入れて搬送経路に残った記録媒体を取り除くとき、第１のインク供給チューブや第２のインク供給チューブが障害になることを防止できる。
【００２２】
［適用例９］前記中継部は、前記収容部に装着されたアダプターであることを特徴とする上記記録装置。
【００２３】
本適用例によれば、筐体とインクタンクとを分離することができる。
【００２４】
［適用例１０］前記中継部は、前記収容部に備えられた継手であることを特徴とする上記記録装置。
【００２５】
本適用例によれば、第１のインク供給チューブと第２のインク供給チューブとを中継することができる。
【００２６】
［適用例１１］前記アダプターは、液体を貯留する貯留部を備えた液体容器であることを特徴とする上記記録装置。
【００２７】
本適用例によれば、貯留部から液体を液体噴射ヘッドに供給することができる。
【００２８】
［適用例１２］前記筐体における前記搬送経路開口部の鉛直方向下側に、前記記録媒体を排出する排出用開口部が備えられたことを特徴とする上記記録装置。
【００２９】
本適用例によれば、使用者は、筐体における排出用開口部が備えられた側から搬送経路開口部に手を入れて搬送経路に残った記録媒体を取り除くことができる。
【００３０】
［適用例１３］前記筐体における前記排出用開口部の鉛直方向下側に、前記記録媒体を載置するカセット挿入口部が備えられたことを特徴とする上記記録装置。
【００３１】
本適用例によれば、使用者は、筐体におけるカセット挿入口部が備えられた側から搬送経路開口部に手を入れて搬送経路に残った記録媒体を取り除くことができる。
【００３２】
［適用例１４］記録媒体に記録する記録部と、筐体の内部に設けられ、前記記録媒体が搬送される搬送経路と、前記筐体に設けられ、前記搬送経路が露出する搬送経路開口部と、を備え、前記筐体は、前記搬送経路開口部に対して側面を成す筐体面側が前記搬送経路開口部より突出した突出部を有する記録装置のカバーであって、前記搬送経路開口部を覆う状態において、前記搬送経路開口部との間には空間部が形成され、前記空間部の前記筐体面側は前記突出部によって覆われ、前記空間部の前記筐体面と反対側は、壁部によって覆われることを特徴とするカバー。
【００３３】
本適用例によれば、搬送経路開口部を覆う状態において、搬送経路開口部との間には空間部が形成され、空間部の筐体面と反対側は、壁部によって覆われる。これにより、インクミストが流出することを抑制できる。
【図面の簡単な説明】
【００３４】
【図１】記録装置の外観斜視図。
【図２】カバーを取り外した状態における記録装置の外観斜視図。
【図３】カバーを取り外した状態における搬送経路開口部の部分の外観斜視図。
【図４】カバーを装着した部分の外観斜視図。
【図５】カバーの断面図。
【図６】カバーの斜視図。
【図７】実施形態２におけるカバーを取り外した状態における記録装置の外観斜視図。
【図８】実施形態２における収容部の部分を示す外観斜視図。
【図９】中継部としての継手を示す図。
【図１０】（ａ）は、貯留部を備えたアダプターの斜視図、（ｂ）は、管形状の継手の斜視図。
【図１１】実施形態４における記録装置の外観斜視図。
【図１２】実施形態５における記録装置の外観斜視図。
【図１３】実施形態５におけるカバーを取り外した状態における記録装置の外観斜視図。
【図１４】カバーの断面図。
【図１５】記録部に原稿給紙部とスキャナー部とを備えた記録装置の外観斜視図。
【発明を実施するための形態】
【００３５】
以下、本発明の実施形態について、図面を参照して説明する。
（実施形態１）
図１は、実施形態１における記録装置としてのインクジェットプリンター（以降は、プリンターという）１を副走査方向Ｄ２下流側から見た図、すなわち正面側から見た外観斜視図である。カバー３０は、一方の面が粘着性を有する帯状の固定部材３１によって、筐体２に固定される。
【００３６】
図２は、図１のカバー３０を取り外した状態におけるプリンター１の外観斜視図である。筐体２の内部には、筐体２に固定されたガイド部３に沿って、主走査方向Ｄ１に往復移動するキャリッジ４が備えられる。キャリッジ４には、液体としてのインクを噴射する液体噴射ヘッド５が備えられる。
【００３７】
筐体２の副走査方向Ｄ２上流側すなわち背面側には、記録媒体としての用紙Ｐを載置する用紙サポート１４が備えられる。用紙サポート１４に載置された用紙Ｐは、筐体２に備えられた給紙装置（不図示）によって筐体２の内部に給紙される。
【００３８】
筐体２の内部に給紙された用紙Ｐは、搬送経路１０に沿って副走査方向Ｄ２に搬送される。液体噴射ヘッド５は、主走査方向Ｄ１に往復移動しながら、搬送される用紙Ｐに対してインクを噴射し、用紙Ｐに文字や画像を記録する。
【００３９】
文字や画像が記録された用紙Ｐは、プリンター１の正面側に設けられた排出用開口部１８から、副走査方向Ｄ２下流側に排出され、スタッカー１７に載置される。
【００４０】
また、プリンター１には、用紙Ｐを積載するためのカセット１５が、カセット挿入口部２６から挿入され、副走査方向Ｄ２にスライド可能に備えられる。使用者は、カセット１５に設けられた取手部１６を用いて、カセット１５を引き出し、用紙Ｐを積載する。
【００４１】
カセット１５に積載された用紙Ｐの最上部にある用紙Ｐが給紙装置によって、筐体２の内部に給紙され、搬送経路１０に沿って搬送される。液体噴射ヘッド５は、主走査方向Ｄ１に往復移動しながら、搬送される用紙Ｐに対してインクを噴射し、用紙Ｐに文字や画像を記録する。文字や画像が記録された用紙Ｐは、排出用開口部１８から排出され、スタッカー１７に載置される。
【００４２】
プリンター１の正面側には、電源のオン・オフの操作や、印刷条件の設定を行う操作ボタン２３や印刷条件の表示や、印刷時のエラー情報を表示するための発光ダイオードなどの表示部２２が備えられる。
【００４３】
筐体２の内部には、主走査方向Ｄ１において仕切る仕切り板１１、仕切り板１３、副走査方向Ｄ２において仕切る仕切り板１２が設けられている。キャリッジ４、ガイド部３は、鉛直方向Ｄ３において、仕切り板１１，１２，１３の下側に備えられる。この構成により、キャリッジ４は、鉛直方向Ｄ３における仕切り板１１，１２，１３の下側の位置で、主走査方向Ｄ１に往復移動する。
【００４４】
筐体２の内部には、主走査方向Ｄ１において仕切り板１１と仕切り板１３によって区画され、副走査方向Ｄ２において排出用開口部１８の鉛直方向Ｄ３上側に形成された壁部９と仕切り板１２によって区画され、鉛直方向Ｄ３において搬送経路１０と筐体２の内側の上部に形成された内壁面２ｂによって区画される空洞部Ｓが形成される。
【００４５】
筐体２の正面側すなわち副走査方向Ｄ２下流側には、主走査方向Ｄ１において仕切り板１１と仕切り板１３によって区画され、鉛直方向Ｄ３において内壁面２ｂと壁部９の鉛直方向Ｄ３上側の壁面９ａによって区画される範囲（主走査方向Ｄ１の幅Ａ２と鉛直方向Ｄ３の高さＢに示す範囲）が開口する搬送経路開口部としての開口部２４が設けられている。
【００４６】
このように、筐体２の内部における搬送経路１０の液体噴射ヘッド５側に空洞部Ｓが形成され、空洞部Ｓと連通し、筐体２の正面側が開口する開口部２４が形成されている。また、ガイド部３は、副走査方向Ｄ２において仕切り板１２より背面側に備えられ、キャリッジ４は、副走査方向Ｄ２において仕切り板１２と重なる位置に備えられる。
【００４７】
このような構成により、使用者がプリンター１の正面側に設けられた開口部２４から空洞部Ｓを見ると、キャリッジ４の一部と搬送経路１０が露出している。
【００４８】
筐体２の正面側すなわち副走査方向Ｄ２下流側には、主走査方向Ｄ１において仕切り板１１と内壁面２ａによって区画され、鉛直方向Ｄ３において内壁面２ｂと壁部９の鉛直方向Ｄ３上側の壁面９ａによって区画される範囲（主走査方向Ｄ１の幅Ａ１と鉛直方向Ｄ３の高さＢに示す範囲）が開口する隣接開口部としての開口部２８が設けられている。
【００４９】
筐体２の正面側における図面右側の突出部３３には、挿入孔３２が設けられている。挿入孔３２には、筐体２の内部に備えられた回路基板（不図示）と電気的に接続される端子（不図示）が備えられている。プリンター１の外部に配置された情報処理機器の通信用ケーブルが挿入孔３２に挿入され、端子を介して回路基板と電気的に接続される。
【００５０】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００５１】
インク供給チューブ４０ａ，４０ｂ，４０ｃ，４０ｄは、液体噴射ヘッド５とインクタンク５０の液体容器５１ａ，５１ｂ，５１ｃ，５１ｄと連通し、イエロー、マゼンタ、シアン、ブラックのインクがポンプ部（不図示）を介してインクタンク５０から液体噴射ヘッド５に供給される。
【００５２】
開口部２８の副走査方向Ｄ２上流側には、筐体２の内部を副走査方向Ｄ２に仕切る仕切り板２７が設けられる。仕切り板２７には、貫通孔２９が形成されている。また、搬送経路１０の鉛直方向Ｄ３上側の主走査方向Ｄ１の幅Ａ１の範囲においては、壁部９の鉛直方向Ｄ３上部から副走査方向Ｄ２上流側に延びる底板２０が形成されている。
【００５３】
インク供給チューブ４０ａ〜４０ｄは、筐体２の外部から開口部２８を通り、底板２０に当接または上部を通り、貫通孔２９を通り、キャリッジ４側に配置される。そして、インク供給チューブ４０ａ〜４０ｄは、キャリッジ４に固定される。インク供給チューブ４０ａ〜４０ｄは、キャリッジ４の主走査方向Ｄ１の往復移動に伴って、フレキシブルに変形が可能である。
【００５４】
インク供給チューブ４０ａ〜４０ｄは、結束部（不図示）によって束ねられ、プリンター１の筐体２の図面左側側面に備えられた係合部２１に係合される。係合部２１は、筐体２における開口部２４を除く位置に備えられる。
【００５５】
図３は、図１の固定部材３１を取り外し、カバー３０を取り外した状態における開口部２４の部分の外観斜視図である。図４は、カバー３０を装着した部分の外観斜視図である。図４は、カバー３０を筐体２に固定する固定部材３１を図示していない。
【００５６】
図５（ａ）は、図４の破線Ｃ１の位置における鉛直方向Ｄ３から見た断面図である。図６は、カバー３０の斜視図である。筐体２の筐体面２ｄ側には、範囲Ｒに示す部分が、開口部２４より副走査方向Ｄ２下流側に突出する突出部３３が形成されている。図３の突出部３３には、前述した挿入孔３２が形成されている。
【００５７】
カバー３０における正面壁部３０１は、図５（ａ）の幅Ａ２に示す開口部２４から正面側に離れた位置で開口部２４を覆う。また、カバー３０には、主走査方向Ｄ１における突出部３３側にリブ３０３が形成され、鉛直方向Ｄ３上側にリブ３０４が形成されている。これにより、カバー３０の剛性強度を高めることができる。
【００５８】
図３の壁部９の突出部３３側の端部９ｅと壁面３３ｃとの間には、主走査方向Ｄ１における溝の幅Ｌ２に示す溝部７０が形成されている。カバー３０が開口部２４を覆う状態にあるとき、鉛直方向Ｄ３において壁部９とリブ３０３とが重なる範囲では、リブ３０３は溝部７０の内部に位置する。
【００５９】
壁面３３ｂは、壁部９の正面側の壁面９ｂから副走査方向Ｄ２上流側の距離Ｌ１だけ離れた位置に形成されている。これにより、カバー３０が開口部２４を覆う状態にあるとき、正面壁部３０１は、壁面９ｂに当接し、リブ３０４は、副走査方向Ｄ２において、壁面９ａと重なる位置にある。
【００６０】
また、カバー３０の主走査方向Ｄ１における突出部３３と反対側には、壁部３０２が形成されている。図５（ａ）の壁部３０２の副走査方向Ｄ２上流側の端部は、仕切り板１１の端面１１ａに当接または対向する位置にある。
【００６１】
図５（ａ）に示すように、開口部２４の副走査方向Ｄ２下流側には、空間部Ｑ１が形成される。主走査方向Ｄ１における突出部３３側が突出部３３の壁面３３ａ，３３ｂ，３３ｃおよびリブ３０３によって囲まれ、主走査方向Ｄ１における突出部３３と反対側が壁部３０２によって囲まれ、副走査方向Ｄ２における下流側が正面壁部３０１によって囲まれることによって、空間部Ｑ１が形成される。
【００６２】
以上、説明した実施形態１のプリンター１は、用紙Ｐに記録する記録部と、筐体２の内部に設けられ、用紙Ｐが搬送される搬送経路１０と、筐体２に設けられ、搬送経路１０が露出する搬送経路開口部としての開口部２４と、開口部２４を覆うカバー３０と、を備える。そして、筐体２は、開口部２４に対して側面を成す筐体面２ｄ側が開口部２４より突出した突出部３３を有し、カバー３０が開口部２４を覆う状態において、カバー３０と開口部２４との間には空間部Ｑ１が形成され、空間部Ｑ１の筐体面２ｄ側は突出部３３によって覆われ、空間部Ｑ１の筐体面２ｄと反対側を覆う壁部３０２を備える。
【００６３】
この構成によれば、空間部Ｑ１を浮遊するインクミストが空間部の外部の開口部２８側に流出することを抑制できる。
【００６４】
また、開口部２４と隣接する隣接開口部としての開口部２８と、筐体２の外部に配置されたインクタンク５０と、開口部２８を通り、液体噴射ヘッド５とインクタンク５０とを連通するインク供給チューブ４０ａ〜４０ｄと、を備える。
【００６５】
この構成によれば、インク供給チューブ４０ａ〜４０ｄが搬送経路１０や開口部２４に位置しないので、紙ジャムが発生し搬送経路１０に用紙Ｐが残った場合に、使用者は、カバー３０を取り外して開口部２４を開放した状態にし、開口部２４を介して搬送経路１０に残った用紙Ｐを容易に取り除くことができる。
【００６６】
図５（ｂ）は、曲面を有する壁部３０５を備えたカバー３０ａの鉛直方向Ｄ３から見た断面図である。開口部２４の副走査方向Ｄ２下流側には、正面壁部３０１、リブ３０３、突出部３３、壁部３０５によって囲まれる空間部Ｑ２が形成される。このように、曲面を有する壁部３０５を有するカバー３０ａをプリンター１に備えてもよい。
【００６７】
また、図５（ａ）の正面壁部３０１、リブ３０３，３０４、壁部３０２は、異なる部材によって構成してもよい。
【００６８】
カバー３０を、固定部材３１によって筐体２に固定し、固定部材３１を取り外すことによって、カバー３０を筐体２から取り外したが、カバー３０を回動可能に備え、開口部２４を開けたり閉じたりする構成にしてもよい。
【００６９】
（実施形態２）
実施形態２では、液体噴射ヘッド５と接続された第１のインク供給チューブと、インクタンク５０と接続された第２のインク供給チューブとを接続する中継部を備えた記録装置について説明する。図７は、カバー３０を取り外した状態でのプリンター１ａの外観斜視図である。
【００７０】
プリンター１ａには、収容部２５が設けられる。図８は、プリンター１ａの収容部２５の部分を示す外観斜視図である。図８は、図７のアダプター７ａ〜７ｄ、インク供給チューブ８ａ〜８ｄを図示していない。
【００７１】
図８の開口部２８の副走査方向Ｄ２上流側には、筐体２の内部を副走査方向Ｄ２に仕切る仕切り板２７ａが設けられる。収容部２５は、副走査方向Ｄ２においては、開口部２８が下流側に形成され、仕切り板２７ａによって上流側が区画されている。主走査方向Ｄ１においては、仕切り板１１と筐体２の内壁面２ａとによって区画され、鉛直方向Ｄ３においては、内壁面２ｂと底板２０とによって区画されている。
【００７２】
図７の収容部２５には、中継部としてのアダプター７ａ〜７ｄが収容される。アダプター７ａ〜７ｄは、底板２０に設けられたガイドレール１９に備えられる。アダプター７ａ〜７ｄは、開口部２８によって正面側が露出して備えられる。
【００７３】
アダプター７ａ〜７ｄは、第１のインク供給チューブとしてのインク供給チューブ６と第２のインク供給チューブとしてのインク供給チューブ８ａ〜８ｄとの間に介在して備えられる。アダプター７ａ〜７ｄと液体噴射ヘッド５との間には、インクタンク５０からインクを吸引し液体噴射ヘッド５に供給するポンプ（不図示）などが備えられる。
【００７４】
図８の仕切り板２７ａには、４個の入力部８０が設けられている。入力部８０は、仕切り板２７ａの副走査方向Ｄ２上流側でインク供給チューブ６と接続される。また、入力部８０は、図７のアダプター７ａ〜７ｄの副走査方向Ｄ２上流側に設けられた出力部（不図示）と接続可能である。これにより、アダプター７ａ〜７ｄからインク供給チューブ６にインクが供給される。
【００７５】
入力部８０に対してアダプター７ａ〜７ｄの出力部（不図示）は着脱可能である。使用者は、ガイドレール１９に沿って、アダプター７ａ〜７ｄを収容部２５に装着したり、離脱させたりすることができる。アダプター７ａ〜７ｄは、収容部２５より小さく、収容部２５の一部に備えられる大きさであってもよい。
【００７６】
キャリッジ４には、インク供給チューブ６の一端が固定される。インク供給チューブ６は、キャリッジ４に備えられた液体噴射ヘッド５と連通される。インク供給チューブ６は、キャリッジ４の主走査方向Ｄ１の往復移動に伴って、フレキシブルに変形が可能である。
【００７７】
インク供給チューブ６は、例えば、イエロー、マゼンタ、シアン、ブラックなどのインク色の数の複数のインク供給チューブによって構成される。アダプター７ａ〜７ｄには、インク供給チューブ６の他端がインク色別にそれぞれ連通される。
【００７８】
筐体２の外には、インクタンク５０が備えられる。インクタンク５０には、インク色別に区画された液体容器５１ａ，５１ｂ，５１ｃ，５１ｄが備えられる。本実施形態では、液体容器５１ａ〜５１ｄには、イエロー、マゼンタ、シアン、ブラックなどのインクがそれぞれ収容される。
【００７９】
インク供給チューブ８ａ〜８ｄの一端は、インクタンク５０と接続され、インク供給チューブ８ａ〜８ｄの他端は、開口部２８を通り、アダプター７ａ〜７ｄとインク色別にそれぞれ接続される。
【００８０】
インク供給チューブ８ａ〜８ｄは、結束部（不図示）によって束ねられ、インク供給チューブ８ａ〜８ｄは、プリンター１ａの筐体２の図面左側側面に備えられた係合部２１に係合される。
【００８１】
図４の壁面９ａにおける一点鎖線で囲んだ範囲Ｍには、インク色別に対応するアダプターを指定された位置に装着するためのガイドとなる文字が描かれた色別のシールが貼られる。そのため、図４、図５（ａ）の正面壁部３０１は、開口部２４の副走査方向Ｄ２下流側に位置する。
【００８２】
壁部３０２によって、図５（ａ）の空間部Ｑ１の主走査方向Ｄ１における突出部３３と反対側が覆われるので、開口部２４側で発生したインクミストが開口部２８側に流出することを抑制することができる。
【００８３】
プリンター１ａには、開口部２４を覆うカバー３０が筐体２に取り付けられる。これにより、プリンター１ａの外観が向上する。また、実施形態１で説明したカバー３０を筐体２から取り外し、開口部２４を露出した状態にすることができる。これにより、紙ジャムなどにより、搬送経路１０に用紙Ｐが残ったとき、使用者は、カバー３０を取り外し、搬送経路１０から用紙Ｐを取り除くことができる。
【００８４】
以上、本実施形態で説明したプリンター１ａは、液体噴射ヘッド５と連通されるインク供給チューブ６と、インクタンク５０と連通されるインク供給チューブ８ａ〜８ｄとを備え、インク供給チューブ６とインク供給チューブ８ａ〜８ｄとの間に介在する中継部としてのアダプター７ａ〜７ｄが備えられる。
【００８５】
この構成によれば、インク供給チューブ６、インク供給チューブ８ａ〜８ｄをそれぞれ異なる部材によって構成することができる。
【００８６】
また、開口部２８と連通し、アダプター７ａ〜７ｄを収容する収容部２５が備えられる。
【００８７】
この構成によれば、インク供給チューブ６やインク供給チューブ８ａ〜８ｄが搬送経路１０や開口部２４に位置しないので、使用者が、開口部２４から手を入れて搬送経路１０に残った用紙Ｐを取り除くとき、インク供給チューブ６やインク供給チューブ８ａ〜８ｄが障害になることを防止できる。
【００８８】
また、アダプター７ａ〜７ｄを備えることにより、筐体２とインクタンク５０とを分離することができる。プリンター１ａの他の構成は、実施形態１のプリンター１の構成と同じである。
【００８９】
（実施形態３）
実施形態３では、中継部としての継手を備えた記録装置について説明する。図９（ａ）は、図８の入力部８０を拡大した斜視図である。仕切り板２７ａには、仕切り板２７ａから突出した、入力部８０としての継手８０ａが備えられる。継手８０ａは、管形状を有し、仕切り板２７ａを貫通し、仕切り板２７ａの副走査方向Ｄ２上流側と下流側に突出して備えられる。継手８０ａの副走査方向Ｄ２上流側は、インク供給チューブ６と接続される。
【００９０】
図９（ｂ）は、出力部としての継手８１の斜視図である。継手８１は、管形状を有し、挿入孔８３に図９（ａ）の継手８０ａが挿入され、固定部８２によって仕切り板２７ａに固定される。継手８１には、インク供給チューブ８ａ（８ｂ，８ｃ，８ｄ）が接続される。継手８０ａ、継手８１は、インク供給チューブ６とインク供給チューブ８ａ（８ｂ，８ｃ，８ｄ）とを接続する中継部を構成する。
【００９１】
上記は、出力部としての継手８１に入力部としての継手８０ａを挿入させたが、入力部としての継手８０ｂに出力部としての継手を挿入してもよい。図９（ｃ）は、入力部としての継手８０ｂの斜視図である。図９（ｄ）は、出力部としての継手８５の斜視図である。
【００９２】
図９（ｃ）の継手８０ｂは、貫通孔８４を有する。継手８０ｂの副走査方向Ｄ２上流側は、インク供給チューブ６と接続される。図９（ｄ）の継手８５の突出部８７は、継手８０ｂの貫通孔８４に挿入され、固定部８６によって仕切り板２７ａに固定される。継手８０ｂ、継手８５は、インク供給チューブ６とインク供給チューブ８ａ（８ｂ，８ｃ，８ｄ）とを接続する中継部を構成する。
【００９３】
また、中継部として、インクが貯留される貯留部を備えた液体容器を備えてもよい。図１０（ａ）は、貯留部９１を内部に備えたアダプター９０の斜視図である。アダプター９０は、アダプター７ａ〜７ｄと同様に、箱型形状を有し、収容部２５に収容することが可能である。
【００９４】
アダプター９０は、インクを貯留する貯留部９１を備えた液体容器である。アダプター９０は、インク色別に備えられ、それぞれの貯留部９１は、一つのインク供給チューブ６と一つのインク供給チューブ８ａ〜８ｄと連通する。
【００９５】
図１０（ｂ）は、管形状を有する継手８８の斜視図である。一つのインク供給チューブ６と一つのインク供給チューブ８ａ〜８ｄとを中継部としての継手８８によって接続してもよい。継手８８は、収容部２５の内部または収容部２５の外部に備えてもよい。本実施形態で説明したプリンターの他の構成は、実施形態１で説明したプリンター１の構成と同じである。
【００９６】
（実施形態４）
実施形態４では、開口部２８を覆うカバーを備えた記録装置について説明する。図１１は、実施形態４におけるプリンター１ｂの外観斜視図である。
【００９７】
プリンター１ｂには、実施形態１で説明した図２の開口部２４を覆うカバー３０と、開口部２８を覆う隣接開口部カバーとしてのカバー３４とが備えられる。固定部材３１によって、カバー３０，３４を、筐体２に装着したり、筐体２から取り外したりすることができる。
【００９８】
開口部２８をカバー３４によって覆うことにより、外観上の美観が向上する。プリンター１ｂの他の構成は、実施形態１のプリンター１の構成と同じである。
【００９９】
（実施形態５）
実施形態１〜実施形態４では、筐体２の外部に配置されたインクタンク５０に液体容器５１ａ〜５１ｄを備えたが、実施形態５では、筐体２の外部にインクタンク５０を配置せずに、筐体２の内部に備えた液体容器から液体噴射ヘッド５にインクを供給するプリンターについて説明する。
【０１００】
図１２は、実施形態５におけるプリンター１ｃの外観斜視図である。図１３は、図１２のカバー３０ｂを取り外した状態におけるプリンター１ｃの外観斜視図である。本実施形態のカバー３０ｂは、開口部２４と開口部２８とを覆うようにして装着できる。
【０１０１】
図１３の開口部２８に位置する収容部２５には、イエロー、マゼンタ、シアン、ブラックなどのインクがそれぞれ収容された液体容器としてインクカートリッジ６０ａ，６０ｂ，６０ｃ，６０ｄが着脱可能に備えられる。インクカートリッジ６０ａ〜６０ｄは、インク供給チューブ６を介して液体噴射ヘッド５と連通する。
【０１０２】
図１４（ａ）は、図１２の破線Ｃ２の位置におけるカバー３０ｂを鉛直方向Ｄ３から見た断面図である。開口部２４の副走査方向Ｄ２下流側は、正面壁部３０６によって覆われ、開口部２８の副走査方向Ｄ２下流側は、正面壁部３０６、湾曲した壁部３０８によって覆われる。主走査方向Ｄ１における突出部３３側は、突出部３３の壁面３３ａ，３３ｂ，３３ｃ、リブ３０７によって覆われ、主走査方向Ｄ１における突出部３３と反対側は、壁部３０８によって覆われる。
【０１０３】
図１３、図１４（ａ）の壁部３５が、仕切り板１１の端面１１ａから副走査方向Ｄ２下流側に延びるようにして備えられる。端面１１ａは、開口部２４における突出部３３と反対側の縁である。これにより、開口部２４の副走査方向Ｄ２下流側には、空間部Ｑ４が形成され、開口部２８の副走査方向Ｄ２下流側には、空間部Ｑ３が形成される。
【０１０４】
空間部Ｑ３と空間部Ｑ４とを仕切るようにして、壁部３５が備えられるので、開口部２４側で発生したインクミストが開口部２８側に流出されることを抑制できる。
【０１０５】
図１４（ｂ）は、空間部Ｑ５と空間部Ｑ６とを仕切るための壁部３０９を備えたカバー３０ｃを鉛直方向Ｄ３から見た断面図である。このように、開口部２４から開口部２８側にインクミストが流出することを抑制するための壁部３０９をカバー３０ｃに備えてもよい。プリンター１ｃのその他の構成は、実施形態１のプリンター１の構成と同じである。
【０１０６】
図１５は、記録部１０３に原稿給紙部１０１とスキャナー部１０２とを備えた記録装置１００の外観斜視図である。原稿給紙部１０１は、用紙サポート１１３に置かれた原稿（不図示）をスキャナー部１０２の原稿台（不図示）に給紙する。原稿台上でスキャナー部１０２によって原稿に描かれた文字や画像が読み取られた後、原稿給紙部１０１によってスタッカー１１４に原稿が排出される。
【０１０７】
液体噴射ヘッド１０７を備え主走査方向Ｄ１に往復移動するキャリッジ１０６と、用紙（不図示）を搬送する搬送経路１０５が、正面側が開口する開口部１０４から露出している。
【０１０８】
記録部１０３は、搬送経路１０５を搬送する用紙に対して液体噴射ヘッド１０７からインクを噴射し、用紙に文字や画像を印刷する。
【０１０９】
開口部１１５が主走査方向Ｄ１において開口部１０４と隣接して設けられる。開口部１１５を有する収容部１１１が設けられる。中継部としてのアダプター１０９ａ，１０９ｂ，１０９ｃ，１０９ｄが、収容部１１１に収容される。アダプター１０９ａ〜１０９ｄには、液体噴射ヘッド１０７と接続される第１のインク供給チューブとしてのインク供給チューブ１０８が接続される。
【０１１０】
記録装置１００の外には、インク色別に区画された液体容器５１ａ，５１ｂ，５１ｃ，５１ｄが収容されたインクタンク５０が配置される。アダプター１０９ａ〜１０９ｄには、インクタンク５０と接続される第２のインク供給チューブとしてのインク供給チューブ１１０が接続される。インク供給チューブ１１０は、記録装置１００の側面に設けられた係合部１１２に係合される。
【０１１１】
実施形態１〜実施形態５で説明した発明は、図１５に示した記録装置１００にも適用する。
【符号の説明】
【０１１２】
１，１ａ，１ｂ，１ｃ…インクジェットプリンター、２…筐体、５，１０７…液体噴射ヘッド、６，８ａ〜８ｄ，１０８，１１０…インク供給チューブ、７ａ〜７ｄ，１０９ａ〜１０９ｄ…アダプター、１０，１０５…搬送経路、１１…仕切り板、１８…排出用開口部、１９…ガイドレール、２０…底板、２１，１１２…係合部、２４，２８，１０４，１１５…開口部、２５，１１１…収容部、２６…カセット挿入口部、３０，３０ａ，３０ｂ，３０ｃ，３４…カバー、３５，３０２，３０５，３０９…壁部、５０…インクタンク、８０ａ，８０ｂ，８１，８５，８８…継手、９０…アダプター、９１…貯留部、１００…記録装置、Ｐ…用紙。
【図１】
2013159057.tif 000003
【図２】
2013159057.tif 000004
【図３】
2013159057.tif 000005
【図４】
2013159057.tif 000006
【図５】
2013159057.tif 000007
【図６】
2013159057.tif 000008
【図７】
2013159057.tif 000009
【図８】
2013159057.tif 000010
【図９】
2013159057.tif 000011
【図１０】
2013159057.tif 000012
【図１１】
2013159057.tif 000013
【図１２】
2013159057.tif 000014
【図１３】
2013159057.tif 000015
【図１４】
2013159057.tif 000016
【図１５】
2013159057.tif 000017